(57)【要約】      （修正有）【課題】ドクロのシンプルなデザインを損なうことなく、時計等の複雑な表示機構を備えるドクロ型表示装置を提供する。【解決手段】ドクロ型表示装置１０であって、表示モジュール１５、及び複数の操作部を有する本体１２と、顔面骨のうち前頭骨から上顎骨にかけての部分に対応する略円形部分、及び上前歯に対応する略矩形部分からなるドクロ型の正面形状を有し、ドクロ型表示装置本体に勘合してドクロ型表示装置表示モジュールを内包するカバー１８とを備える。また、ドクロ型表示装置カバーは、左右の眼窩に対応する位置に２つの穴を有し、該２つの穴においてドクロ型表示装置表示モジュールによる表示が行われ、カバーは、鼻に対応する位置に１つの穴を有し、ドクロ型表示装置複数の操作部のうち１つの操作部は、該１つの穴から露出するようにドクロ型表示装置本体に設置されている。【選択図】図１
0003170890.tif 000002
【実用新案登録請求の範囲】
【請求項１】
表示モジュール、及び複数の操作部を有する本体と、
顔面骨のうち前頭骨から上顎骨にかけての部分に対応する略円形部分、及び上前歯に対応する略矩形部分からなるドクロ型の正面形状を有し、前記本体に勘合して前記表示モジュールを内包するカバーと、
を備え、
前記カバーは、左右の眼窩に対応する位置に２つの穴を有し、該２つの穴において前記表示モジュールによる表示が行われ、
前記カバーは、鼻に対応する位置に１つの穴を有し、前記複数の操作部のうち１つの操作部は、該１つの穴から露出するように前記本体に設置されている
ことを特徴とするドクロ型表示装置。
【請求項２】
前記カバーの前記略矩形部分は、その先端部に複数の歯を模った溝が形成されていることを特徴とする請求項１記載のドクロ型表示装置。
【請求項３】
前記２つの穴の一方において時が表示され、他方において分が表示される時計であることを特徴とする請求項１又は請求項２記載のドクロ型表示装置。
【請求項４】
前記２つの穴の一方において温度が表示され、他方において湿度が表示される温湿度計であることを特徴とする請求項１から請求項３のうち何れかに記載のドクロ型表示装置。
【請求項５】
前記カバーの前記略矩形部分は、正面から裏面に向かって高さが減少し、前記本体及び前記カバーの全体を、前記正面を斜め上方に向けた状態で設置するとともに、
前記本体背面には、その下方が開閉し、開いたときに傾斜する前記本体を支持するスタンドが取り付けられている
ことを特徴とする請求項１から請求項４のうち何れかに記載のドクロ型表示装置。
【考案の詳細な説明】
【技術分野】
【０００１】
本考案は、ドクロを模した表示装置に関する。
【背景技術】
【０００２】
従来、種々のキャラクターものの工業製品が提案されており、例えば、文字盤の部分にキャラクターが描かれた時計（例えば、実用新案文献１）や、キャラクターの胴体に時計機構を備えたものが知られている。また、近時、これらのキャラクターのなかでもドクロのデザインが、装飾品や玩具を初め工業製品等でも広く好まれている。
【０００３】
しかしながら、ドクロをモチーフとした公知の製品は、単にドクロの形状を模した装飾品であるか、ドクロのイラストをプリントした製品であることがもっぱらであり、ドクロのデザインを活かしつつ実用的な機能を持たせた製品は見当たらない。機能性を付加したドクロ形の工業製品としては、例えば、全体的にドクロの形をした置時計などの表示装置が考えられるが、ドクロのシンプルなデザインを損なわずに、時計等の複雑な表示機構を実現することは困難であった。
【先行技術文献】
【特許文献】
【０００４】
【特許文献１】実用新案登録第３０３６４６０６号
【考案の概要】
【考案が解決しようとする課題】
【０００５】
本考案はこのような状況に鑑みてなされたものであり、ドクロのシンプルなデザインを損なうことなく、時計等の複雑な表示機構を備えるドクロ型表示装置を提供することを主たる課題とする。
【課題を解決するための手段】
【０００６】
上記課題を解決するための本考案は、ドクロ型表示装置であって、表示モジュール、及び複数の操作部を有する本体と、顔面骨のうち前頭骨から上顎骨にかけての部分に対応する略円形部分、及び上前歯に対応する略矩形部分からなるドクロ型の正面形状を有し、前記本体に勘合して前記表示モジュールを内包するカバーと、を備え、前記カバーは、左右の眼窩に対応する位置に２つの穴を有し、該２つの穴において前記表示モジュールによる表示が行われ、前記カバーは、鼻に対応する位置に１つの穴を有し、前記複数の操作部のうち１つの操作部は、該１つの穴から露出するように前記本体に設置されていることを特徴とする。
【０００７】
また、前記カバーの前記略矩形部分は、その先端部に複数の歯を模った溝が形成されていてもよい。
【０００８】
また、前記ドクロ型表示装置が、前記２つの穴の一方において時が表示され、他方において分が表示される時計であってもよい。
【０００９】
また、前記ドクロ型表示装置が、前記２つの穴の一方において温度が表示され、他方において湿度が表示される温湿度計であってもよい。
【００１０】
また、前記カバーの前記略矩形部分は、正面から裏面に向かって高さが減少し、前記本体及び前記カバーの全体を、前記正面を斜め上方に向けた状態で設置するとともに、前記本体背面には、その下方が開閉し、開いたときに傾斜する前記本体を支持するスタンドが取り付けられていてもよい。
【考案の効果】
【００１１】
本考案は、ドクロの目と鼻の位置をインターフェースとして利用する構成としたことにより、ドクロのシンプルなデザインを損なわずに、時計等の複雑な表示機構を実現することができる。
【図面の簡単な説明】
【００１２】
【図１】本考案の一実施形態を示す斜視図である。
【図２】図１のドクロ型表示装置の側面図である。
【図３】図１のドクロ型表示装置の背面図である。
【図４】図１のドクロ型表示装置の表示板の図である。
【図５】図４の表示板で時計表示したときの図である。
【図６】図４の表示板で温湿度表示したときの図である。
【図７】図４の表示板で西暦年表示したときの図である。
【図８】図４の表示板で月日表示したときの図である。
【図９】本考案の他の実施形態を示す図であり、（Ａ）は正面図、（Ｂ）は背面図、（Ｃ）は側面図である。
【考案を実施するための形態】
【００１３】
以下、本考案の一実施形態について、添付の図面を参照して詳細に説明する。図１〜図３に、本考案の一実施形態を示す。同図に示すように、本考案のドクロ型表示装置１０は、表示モジュール１５、及び複数の操作部１６、３４、３８を有する本体１２と、顔面骨のうち前頭骨から上顎骨にかけての部分に対応する略円形部分２６（以下、顔面部分２６という場合がある。）、及び上前歯に対応する略矩形部分２８（以下、上前歯部分２８という場合がある。）からなるドクロ型の正面形状を有し、本体１２に勘合して表示モジュール１５を内包するカバー１８と、を備え、カバー１８は、左右の眼窩に対応する位置に２つの穴２０、２２（以下、２つの穴を第１表示窓２０、第２表示窓２２という場合がある。）を有し、該２つの穴２０、２２（第１表示窓２０、第２表示窓２２）において表示モジュール１５による表示が行われ、カバー１８は、鼻に対応する位置に１つの穴２４（以下、１つの穴をボタン用穴２４という場合がある。）を有し、複数の操作部のうち１つの操作部１６（以下、１つの操作部１６を照明ボタン１６という場合がある。）は、該１つの穴（ボタン用穴２４）から露出するように本体１２に設置されている。
【００１４】
ドクロ型表示装置１０は、本体１２と本体１２の正面側部分を覆って本体１２に勘合し、ドクロ型の正面形状を表すカバー１８とで、外殻が形成されている。
【００１５】
本体１２は、表示板１４および表示板１４に時計等の各種情報を表示させるための機構からなる表示モジュール１５と、表示モジュール１５による表示の設定を行うための操作部である照明ボタン１６、表示切り替えボタン３４および設定ボタン３８等を有している。表示モジュール１５は、カバー１８に内包されており、表示切り替えボタン３４および設定ボタン３８は、カバー１８に覆われずに背面側に露出している。また、照明ボタン１６は、カバー１８の鼻に対応する位置に設けられた穴から露出するように本体１２に設置されている。
【００１６】
カバー１８は、顔面骨のうち前頭骨から上顎骨にかけての部分に対応する略円形の顔面部分２６と、その略円形部分の下方に矩形に突出する上前歯部分２８とからなる。この上前歯部分２８の下面が、ドクロ型表示装置１０の設置面３０となっている。このように、ドクロ型表示装置１０は、顔面骨の下顎骨に相当する部分を省略し、上顎の前歯に相当する部分を設置面３０としたことで、シンプルなドクロの形状を損なうことなく、広幅な安定した設置面を確保している。
【００１７】
設置面３０には、上前歯部分２８が正面から見たときに３本の歯を表すように、正面から背面に向かって２本の溝３１が形成されている。すなわち、正面から見たときには、上前歯２８の下部に２つの溝３１が形成され、３本の歯のように見える。上前歯２８の下部の溝３１は、正面側の一部にだけ形成されていてもよい。なお、図示する形態では、２本の溝が形成されているが、１本の溝、あるいは３本以上の溝を形成することもできる。
【００１８】
図２に示す形態では、上前歯部分２８は、正面から裏面に向かって高さが減少している。この形態によれば、ドクロ型表示装置１０の全体は、その正面、すなわちカバー１８のドクロの顔の面を、斜め上方に向けた状態で設置することができる。また、図２に示す形態では、本体１２の背面に、その下方が開閉し、開いたときに本体１２を支持する開閉式スタンド３２が取り付けられている。
【００１９】
カバー１８には、左右の眼窩に対応する位置に２つの穴（右眼窩に部分に第１表示窓２０、左眼窩の部分に第２表示窓２２）が、それぞれ円形に開けられており、本体１２の表示板１４が露出するようになっている。この表示板１４は、図４に示すように、１枚の板状であり、第１表示窓２０および第２表示窓２２の位置のそれぞれに数字等を表示して、時と分のように２つでひとまとまりの情報を表示するか、あるいは温度と湿度のようにそれぞれ別の情報を表示する。表示板１４の構成については後に詳述する。なお、図示する形態では、２つの穴はそれぞれ円形に開けられているが、２つの穴の一方、又は双方を図示する形状以外の形状で開けることもできる。
【００２０】
カバー１８の鼻に対応する位置には、円形のボタン用穴２４が開けられており、本体に設置された照明ボタン１６が嵌め込まれている。この構成によれば、照明ボタン１６を押すことで、表示板１４のバックライト（例えばＬＥＤ）が点灯し、第１表示窓２０および第２表示窓２２を鮮やかに光らせることができる。したがって、暗闇でも時刻を表示させることができる効果に加え、ドクロの両目が光ったように見える視覚的効果を付与することができる。また、照明ボタン１６は、アラーム設定時刻にアラームが鳴った際に押されると一旦アラームを止め、しばらくすると再び鳴り出す、いわゆるスヌーズボタンとして機能させることもできる。
【００２１】
図３に示す形態では、本体１２の裏面に、正面から見て右側面側から押すことのできる表示切り替えボタン３４、電池収納部３６、複数のボタンからなる設定ボタン３８、温湿度感知孔４０、およびアラームブザー孔４２が設けられている。表示切り替えボタン３４は、押される度に、表示板１４の表示を時計、温湿度、西暦年、月日、アラーム設定時刻などの表示に順次切替える。設定ボタン３８は、時計や年月日やアラーム設定時刻を設定するときに操作される。
【００２２】
電池収納部３６には、例えば単４電池が２本収納される。温湿度感知孔４０は、ドクロ型表示装置１０の置かれている場所の温度および湿度を感知する。アラームブザー孔４２は、設定されたアラーム時刻にブザーやメロディーを発する。
【００２３】
図４に、表示板１４の構成を示す。表示板１４は、１枚の液晶パネルであり、第１表示窓２０および第２表示窓２２に対応する位置に、２桁の数字と文字および記号を表示できるように構成されている。なお、第１表示窓２０、第２表示窓２２に対応する液晶パネルをそれぞれ設けることもできる。
【００２４】
図５は、表示板１４に時計を表示したときの例である。第１表示窓２０（右目）には「時」が、第２表示窓２２（左目）には「分」が表示されている。第１表示窓２０の「時」の表示は、１２時間表示および２４時間表示のどちらかを、設定ボタン３８からの操作によって設定可能であり、１２時間表示の場合には、図５に示す例のように、「時」の左下に「ＡＭ」または「ＰＭ」の表示がされる。第２表示窓２２には、「分」の左側に、アラーム時刻が設定されていることを示すベルのマークと、アラームがスヌーズ設定されていることを示す「Ｚｚｚ」のマークを表示することができる。
【００２５】
図６は、表示板１４に温湿度を表示したときの例であり、第１表示窓２０に「温度」、第２表示窓２２に「湿度」が表示されている。また、第１表示窓２０には、温度を示す数字の上部に、温度表示であることを示す「ＴＥＭＰ」の文字が表示され、数字の右側には、温度の単位「℃」が表示されている。また、第２表示窓２２には、湿度を示す表示の上部に、湿度表示であることを示す「ＨＵＭ」の文字が表示され、数字の右側には、湿度の単位「％」が表示されている。さらに、湿度が規定値以上の場合には、数字の右側に水滴マーク４４を表示することができる。この水滴マークは、湿度の高さに応じて０個、１個、２個と段階的に表示し、湿度が高いか低いかを直感的にわかるように表示してもよい。なお、図６に示す形態では、第１表示窓２０に「温度」、第２の表示窓２２に「湿度」が表示されているが、第１表示窓２０に「湿度」、第２表示窓２２に「温度」を表示させることとしてもよい。
【００２６】
図７は、表示板１４に西暦年を表示したときの例である。第１表示窓２０および第２表示窓２２にはそれぞれ２桁の数字のみが表示できるため、４桁の西暦年「２０１０」を表示するときは、第１表示窓２０（右目）に上２桁の「２０」を、第２表示窓２２（左目）に下２桁の「１０」を表示し、両目で「２０１０」の１つの情報を表示する。
【００２７】
図８は、表示板１４に月日を表示したときの例である。第１表示窓２０（右目）には「月」が、第２表示窓２２（左目）には「日」が表示されている。さらに、第１表示窓２０には、月を示す数字の下部に月表示であることを示す「ＭＯＮＴＨ」の文字が表示されるとともに、第２表示窓２２には、日を示す表示の下部に、日表示であることを示す「ＤＡＴＥ」の文字が表示される。
【００２８】
なお、本実施形態では、ドクロの目の部分に設けたインターフェースに、時計、温度湿度計、年、月日の各表示を、表示切り替えボタンによって切り替え表示可能としたが、他の実施形態として、上記の情報のうち１つのみを表示するものとしてもよいし、上記のうち任意の複数の情報を表示するものとしてもよい。
【００２９】
図９は、本考案の他の実施形態を示す図であり、（Ａ）は正面図、（Ｂ）は背面図、（Ｃ）は側面図である。図９のドクロ型表示装置５０において、図１のドクロ型表示装置１０と同様の構成要素には同一の符号を付している。
【００３０】
図１の例では、ドクロ型表示装置１０は、ドクロの顔の面、すなわち時計表示面を斜め情報に向けて設置される構成としたが、他の実施形態として、図９（Ｃ）に示すように、ドクロの顔の面を略水平に向けて設置される構成としてもよい。すなわち、図９のドクロ型表示装置５０は、カバー５４の顔面部分５６の上面と上前歯部分５８の下面（設置面６０）が略平行に形成されており、全体が直立するように構成されている。
【００３１】
上前歯部分５８の設置面６０付近に設けられる、複数の歯を表すための溝６２は、図９（Ａ）および（Ｂ）に示すように、正面側から背面側に向かって広がるくさび状の溝としてもよい。この溝６２は、ドクロ型表示装置５０のデザイン性および設置安定を考慮して決定すればよい。
【００３２】
また、ドクロ型表示装置１０の操作部等の配置も任意に選択可能であり、例えば図９（Ｂ）のように、操作ボタン３８が最上部にある配置としてもよい。また、ドクロ型表示装置として、人間の前頭骨、上顎骨、上前歯を中心に説明を行ったが、これに限定されることはなく、動物の前頭骨、上顎骨、上前歯によってドクロ型の構造とすることとしてもよい。
【符号の説明】
【００３３】
１０、５０  ドクロ型表示装置
１２、５２  本体
１４、５４  表示板
１５  表示モジュール
１６  照明ボタン
１８  カバー
２０  第１表示窓（右目）
２２  第２表示窓（左目）
２４  ボタン用穴
２６、５６  顔面部分
２８、５８  上前歯部分
３０、６０  設置面
３１、６２  溝
３２  開閉式スタンド
３４  表示切り替えボタン
３６  電池収納部
３８  設定ボタン
４０  温湿度感知孔
４２  アラームブザー孔
４４  水滴マーク
【図１】
0003170890.tif 000003
【図２】
0003170890.tif 000004
【図３】
0003170890.tif 000005
【図４】
0003170890.tif 000006
【図５】
0003170890.tif 000007
【図６】
0003170890.tif 000008
【図７】
0003170890.tif 000009
【図８】
0003170890.tif 000010
【図９】
0003170890.tif 000011